(57)【特許請求の範囲】
【請求項１】
オーディオ機器と、該オーディオ機器に電気的に接続されるヘッドホンとを含むヘッドホンシステムにおいて、
前記ヘッドホンに設けられ、前記ヘッドホンが耳に装着されることによって押されるスイッチと、
前記スイッチの検知信号から前記ヘッドホンが耳に装着されたか耳から離脱されたかを判断する着脱判断部と、
前記着脱判断部が所定時間以上持続して離脱と判断したことに基づいて前記オーディオ機器を自動停止させる停止制御部とを備え、
前記所定時間はユーザによって任意に設定された時間であり、
前記スイッチがタクトスイッチ又は圧電素子であり、
前記ヘッドホンは、インナーイヤー型であり、ハウジングと、該ハウジングの耳に当たる外周部分を覆うバンドと、を備え、前記バンドの下に前記スイッチを設け、
前記バンドは弾性体であって、
前記着脱判断部及び前記制御部は前記オーディオ機器に内蔵され、
前記ヘッドホンが耳に装着されていない場合に再生の操作があると前記オーディオ機器の再生が開始され、前記再生の開始から所定の時間経過しても前記ヘッドホンが装着されない場合には、前記再生が自動停止されることを特徴とするヘッドホンシステム。
【発明の詳細な説明】
【技術分野】
【０００１】
本発明は、オーディオ機器と、該オーディオ機器に電気的に接続されるヘッドホンとを含むヘッドホンシステムに関する。
【背景技術】
【０００２】
オーディオ機器から出力された電気信号を、耳に接近したスピーカーを用いて音波（可聴音）に変換する装置としてヘッドホンが知られている。そして、ヘッドホンをオーディオ機器へ電気的に接続することによりヘッドホンシステムとして利用されている。
【０００３】
ヘッドホンには様々な種類があり、例えば、イヤホン、インナーイヤー型、カナル型、ヘッドバンド型（オーバーヘッド型）、ネックバンド型、クリップ型（耳掛け型）などがある。
【０００４】
イヤホンは、古くからテレビ・ラジオの個別聴取のために使用されてきた最も簡便なタイプであり、丸みを帯びた開口部を外耳道に数ｍｍ挿入して使用する。インナーイヤー型は、外耳に嵌め込むタイプであり、耳の形状に合うように設計されているためイヤホンよりも装着感が良い。カナル型は、外耳道にインナーイヤー型よりも深く差し込んで使用するタイプであり、構造上密閉型が多く、遮音性能が極めて高い。ヘッドバンド型は、ヘッドバンドを頭の上に乗せるものであり、主に室内での使用に用いられる。ネックバンド型は、首の後ろ側に装着するもので、携帯型のヘッドホンに用いられ、頭の上に取り付けるヘッドホンのように髪型を乱すことが無く、帽子をかぶることもできる。クリップ型は、クリップを外耳に引っ掛けるタイプであり、非常にコンパクトで携帯に便利である。
【０００５】
一般に、ヘッドホンシステムに利用されるオーディオ機器としては携帯型のものが多い。例えば、携帯型オーディオ機器にヘッドホンを接続して電車内で使用しているユーザが多い。その際、携帯型オーディオ機器は、鞄の中に入った状態であったり、着衣のポケットに入った状態であったりする。それ故、ヘッドホンを外した後、停止操作を忘れた場合、ユーザは気付くことがないので、携帯型オーディオ機器は電池がなくなるまで再生し続けることになる。
【０００６】
この問題を解決するため、特許文献１には、オーディオ機器と、イヤホンヘッドとを含むイヤホンシステムにおいて、静電容量感知センサによって検出された静電容量の変化を利用して、イヤホンヘッドが耳から離脱されたことを判別し、オーディオ機器を停止させる構成が開示されている。
【特許文献１】特開２００６−２７９９５９号公報
【発明の開示】
【発明が解決しようとする課題】
【０００７】
上記の特許文献１では、静電容量感知センサによってイヤホンが耳から外されたことを検知している。ここで、イヤホンが耳から外されたことを検知する手段としては、特に静電容量感知センサが好ましいというわけではなく、他の手段を採用することも考えられるが、特に記載はされていない。そこで他の手段を用いることで、コストを削減できたり、検知精度を向上させたりする余地がある。
【０００８】
本発明は、ヘッドホンの着脱状態を検知し、耳から離脱された場合にオーディオ機器を自動停止させる自動停止機能を備えたヘッドホンシステムを提供することを目的とする。
【課題を解決するための手段】
【０００９】
上記目的を達成するために本発明は、オーディオ機器と、該オーディオ機器に電気的に接続されるヘッドホンとを含むヘッドホンシステムにおいて、前記ヘッドホンに設けられ、前記ヘッドホンが耳に装着されることによって押されるスイッチと、前記スイッチの検知信号から前記ヘッドホンが耳に装着されたか耳から離脱されたかを判断する着脱判断部と、前記着脱判断部が離脱と判断したことに基づいて前記オーディオ機器を自動停止させる停止制御部とを備えたことを特徴とする。
【００１０】
この構成によれば、オーディオ機器を再生したままヘッドホンが耳から離脱されると自動的に再生が停止される。
【００１１】
上記のヘッドホンシステムにおいて、前記停止制御部は、前記着脱判断部が所定時間以上持続して離脱と判断したことに基づいて前記オーディオ機器を自動停止させることが望ましい。
【００１２】
この構成によれば、ユーザが一時的にヘッドホンを耳から離脱させた場合に、直ぐに自動停止してしまうことがなく、使い勝手が向上する。
【００１３】
また上記のヘッドホンシステムにおいて、前記所定時間はユーザによって任意に設定された時間であることが望ましい。
【００１４】
この構成によれば、ユーザが自分の使用形態を考慮して所望の時間を設定できるので、それぞれのユーザの好みに合わせることができる。
【００１５】
また上記のヘッドホンシステムにおいて、前記スイッチにタクトスイッチ又は圧電素子を用いれば、低コストで簡単な構成で実現することができる。
【００１６】
また上記のヘッドホンシステムにおいて、前記ヘッドホンがインナーイヤー型である場合は、ハウジングと、該ハウジングの耳に当たる外周部分を覆うバンドとを備え、前記バンドの下に前記スイッチを設けることが望ましい。
【００１７】
この構成によれば、美観を損なわずにスイッチを設けることができる。
【００１８】
また上記のヘッドホンシステムにおいて、前記バンドに弾性体を用いれば、問題なくスイッチが作動する。
【００１９】
また上記のヘッドホンシステムにおいて、前記着脱判断部及び前記制御部は前記オーディオ機器に内蔵されることが望ましい。ヘッドホンの軽量化に繋がるからである。
【００２０】
また本発明は、オーディオ機器と、該オーディオ機器に電気的に接続されるヘッドホンとを含むヘッドホンシステムにおいて、前記ヘッドホンに設けられた温度センサと、前記温度センサで検出された温度から前記ヘッドホンが耳に装着されたか耳から離脱されたかを判断する着脱判断部と、前記着脱判断部が離脱と判断したことに基づいて前記オーディオ機器を自動停止させる停止制御部とを備えたことを特徴とする。
【００２１】
この構成によれば、オーディオ機器を再生したままヘッドホンが耳から離脱されると自動的に再生が停止される。
【００２２】
上記のヘッドホンシステムにおいて、前記停止制御部は、前記着脱判断部が所定時間以上持続して離脱と判断したことに基づいて前記オーディオ機器を自動停止させることが望ましい。
【００２３】
この構成によれば、ユーザが一時的にヘッドホンを耳から離脱させた場合に、直ぐに自動停止してしまうことがなく、使い勝手が向上する。
【００２４】
また上記のヘッドホンシステムにおいて、前記所定時間はユーザによって任意に設定された時間であることが望ましい。
【００２５】
この構成によれば、ユーザが自分の使用形態を考慮して所望の時間を設定できるので、それぞれのユーザの好みに合わせることができる。
【００２６】
また上記のヘッドホンシステムにおいて、前記ヘッドホンがインナーイヤー型である場合は、ハウジングと、該ハウジングの耳に当たる外周部分を覆うバンドとを備え、前記バンドの下に前記温度センサを設けることが望ましい。
【００２７】
この構成によれば、美観を損なわずに温度センサを設けることができる。
【００２８】
また上記のヘッドホンシステムにおいて、前記バンドを金属製とすることにより、熱伝導率がよくなり温度センサでの検出精度が向上する。
【００２９】
また上記のヘッドホンシステムにおいて、前記着脱判断部及び前記制御部は前記オーディオ機器に内蔵されることが望ましい。ヘッドホンの軽量化に繋がるからである。
【発明の効果】
【００３０】
本発明によると、ヘッドホンにスイッチ又は温度センサを設け、ヘッドホンの着脱を判別し、離脱状態であればオーディオ機器を自動停止させることにより、ヘッドホンを外した後、停止操作を忘れた場合に、音声が出力され続けて電力が無駄に消費されることを防止できる。
【発明を実施するための最良の形態】
【００３１】
（第１の実施形態）
図１は、第１の実施形態のヘッドホンシステムの構成を示すブロック図である。ヘッドホンシステム１０は、携帯型音楽再生装置であるオーディオ機器２０と、オーディオ機器２０に電気的に接続されるヘッドホン３０とから構成されている。オーディオ機器２０とヘッドホン３０との接続は、配線コードを用いてもよいし、無線接続としてもよい。無線接続する場合は、オーディオ機器２０及びヘッドホン３０にそれぞれ送受信機が必要であり、ヘッドホン３０には電源供給のための電池が必要となる。
【００３２】
オーディオ機器２０は、音楽などを記憶しておくハードディスクドライブ（ＨＤＤ）２１と、ヘッドホン３０が耳に装着されたか耳から離脱されたかを判断する着脱判断部２２と、着脱判断部２２が離脱と判断したことに基づいてオーディオ機器２０の再生を自動停止させる停止制御部２３と、ＨＤＤ２１の音楽を再生してヘッドホン３０へ出力したり、停止制御部２３からの指示によって再生を停止させたりする制御部２４とを備えている。
【００３３】
なお、着脱判断部２２と停止制御部２３とは操作部を有するリモコンの筐体内に設けてもよい。通常リモコンは、オーディオ機器２０とヘッドホン３０とを接続する配線コード上に設けられるが、無線で操作するものであってもよい。また、着脱判断部２２と停止制御部２３とはヘッドホン３０に内蔵してもよい。
【００３４】
ヘッドホン３０としては、イヤホン、インナーイヤー型、カナル型、ヘッドバンド型（オーバーヘッド型）、ネックバンド型、クリップ型（耳掛け型）など様々なタイプを使用することができる。そして、ヘッドホン３０にはヘッドホン３０が耳に装着されることによって押されるスイッチ３１が設けられている。スイッチ３１としてはタクトスイッチや圧電素子を用いることができる。スイッチ３１は着脱判断部２２と電気的に接続されており、スイッチ３１から着脱判断部２２へ検知信号が送信される。この検知信号はヘッドホン３０が耳に装着されたか耳から離脱されたかの判断に利用される。
【００３５】
図２は、ヘッドホン３０の構成を示す分解斜視図である。ここではインナーイヤー型を例に説明する。イヤホンヘッド３０は、スイッチ３１、ハウジング３２、オーディオ機器２０から伝達される音声信号を音波形態に変換するヨーク３３と永久磁石３４とトッププレート３５、オーディオ機器２０から伝達される音声信号によって励磁されるボイスコイル３６、ボイスコイル３６の励磁状態によって振動して音波を発生する振動板３７、オーディオ機器２０から伝達される音声信号を受信するための回路基板３８、振動板３７を保護する保護カバー３９、保護カバーの前面を覆う保護グリル４０、耳に装着しやすくするバンド４１、リベット４２、配線４３から構成される。ここで、ヨーク３３と永久磁石３４とトッププレート３５と回路基板３８とはリベット４２によって固定結合される。
【００３６】
配線４３は、信号線、接地線、検知線の３本の線からなる。信号線及び接地線はオーディオ機器２０からの音声信号を受けるための線である。検知線はスイッチ３１と着脱判断部２２とを接続する線であり、スイッチ３１が押された場合に着脱判断部２２へ検知信号を送る。
【００３７】
ハウジング３２は、ヘッドホン３０を構成する上記の各部材を収納する筐体であり、樹脂製又は金属製である。ヨーク３３は、永久磁石３４を支持するための円筒部３３ａと、振動板３７を支持するためのフランジ部３３ｂとを有し、フランジ部３３ｂの一側には、ボイスコイル３６のリード３６aを回路基板３８に接続するために引き出すための引き出し口３３ｃが形成されている。
【００３８】
バンド４１は、ゴムやシリコンや各種樹脂などの弾性体からなり、ハウジング３２の耳に当たる外周部分を覆うようなリング形状となっている。ヘッドホン３０の組み立ての際は、バンド４１を伸ばしながらハウジング３２に嵌め込んで固定する。
【００３９】
スイッチ３１は、バンド４１の下に位置するように、ハウジング３２の外周部分に突設されている。これにより、通常スイッチ３１はユーザに見えないので、ユーザはスイッチ３１を気にすることなく使用でき、外観の美観もよい。バンド４１をハウジング３２に嵌めただけの状態、つまり耳に装着されていない状態では、スイッチ３１はバンド４１の弾性力を利用してバンド４１を押し上げているのでスイッチ３１は無検知状態である。一方、ヘッドホン３０が耳に装着された状態では、バンド４１の外周部分、つまりスイッチ４１上の部分が耳に押し当てられるので、バンド４１の弾性力によってスイッチ３１が押された状態となり、スイッチ３１は検知状態となる。
【００４０】
このように、ヘッドホン３０の着脱がスイッチ３１によって検知される。なお、スイッチ３１は必ずしもバンド４１の下に設ける必要はなく、スイッチ３１上のバンド４１部分に貫通孔を設け、この貫通孔からスイッチ３１が突出するようにしてもよい。また、スイッチ３１は、ヘッドホン３０が耳に装着された場合に耳で押される位置であればその位置に特に限定はなく、例えば、保護グリル４０の前面の耳に当接する位置に設けてもよい。また、スイッチ３１の形状には特に限定はなく、図２に示した円筒状の他にも、半球状や直方体状や板状としてもよい。
【００４１】
このヘッドホン３０の音声出力過程を簡単に説明する。ボイスコイル３６が音声（電流）信号によって励磁されると、ヨーク３３とトッププレート３５との間で漏洩される永久磁石３４の磁束と鎖交して、その音声信号の大きさ及び周波数によって垂直に振動する。すると、ボイスコイル３６に一体的に付着されている振動板３７が一緒に振動して空気中に音波を発生することにより、その音声信号を再生する。
【００４２】
次に、ヘッドホンシステム１０の自動停止機能について説明する。図３は、自動停止機能に関するヘッドホンシステム１０の動作を示すフローチャートである。まず、オーディオ機器２０の電源がオンになると、ステップＳ１０において着脱判断部２２はスイッチ３１からの検知信号の有無を判別する。ヘッドホン３０が耳に装着されれば、スイッチ３１が耳によって押され、スイッチ３１から着脱判断部２２へ検知信号が送られる。
【００４３】
ステップＳ１０において検知信号があれば、ステップＳ１１へ進んで着脱判断部２２は、ヘッドホン３０が耳に装着されたと判断する。その後、着脱判断部２２は検知信号を検知し続ける限りヘッドホン３０が装着状態であると判断する。この状態の場合は着脱判断部２２は停止制御部２３へ何も指示する必要はないが、装着状態である旨を停止制御部２３を介して制御部２４へ送信してもよい。そうすれば、制御部２４はヘッドホン３０が装着状態であることを把握できるので、他の制御に役立てることもできる。
【００４４】
次に、ステップＳ１２へ進んで制御部２４は再生指示があったか否かを判別する。ユーザによって操作部が操作され再生が指示された場合は、ステップＳ１３へ進んでＨＤＤ２１の音楽を再生し、ヘッドホン３０へ出力する。
【００４５】
再生中にステップＳ１４へ進んで着脱判断部２２はスイッチ３１からの検知信号の有無を判別する。ステップＳ１４において検知信号があれば、着脱判断部２２はヘッドホン３０が耳に装着されたままであると判断し、制御部２４は再生を続ける。
【００４６】
一方、ステップＳ１４において検知信号がなければ、着脱判断部２２はヘッドホン３０が耳から離脱されたと判断し、その旨を停止制御部２３へ送信し、ステップＳ１５へ進む。ステップＳ１５では停止制御部２３が検知信号がなくなってから所定時間経過したか否かを判別する。これは時計などの計時手段を利用すればよい。所定時間はユーザが操作部を操作することよって任意に設定でき、例えば５分から６０分の間で設定できるものとする。
【００４７】
ステップＳ１５において所定時間経過している場合、つまり着脱判断部２２が所定時間以上持続して離脱と判断した場合は、停止制御部２３はヘッドホン３０が耳から離脱されたままであると判断し、ステップＳ１６へ進む。ステップＳ１６では、停止制御部２３から制御部２４へ停止指示が送信され、制御部２４はＨＤＤ２１の再生を自動停止させる。      
【００４８】
一方、ステップＳ１５で所定時間経過していない場合はステップＳ１４に戻り検知信号の有無を判別し、このとき検知信号があれば再びヘッドホン３０が装着されたと判断して再生を続ける。
【００４９】
このように、再生したままヘッドホン３０が耳から離脱されて所定時間が経過すると自動的に再生が停止されるので、ヘッドホン３０を外した後、停止操作を忘れた場合に再生され続けて電池がなくなることを防止できる。
【００５０】
なお、ステップＳ１５はなくても本発明は成立する。その場合、ステップＳ１４から直接ステップＳ１６へ進むことになるので、ヘッドホン３０が耳から離脱されると直ぐに再生が自動停止される。
【００５１】
以下に、本実施形態を他のタイプのヘッドホンに適用した場合について例示する。図４はイヤホン、図５はカナル型、図６はヘッドバンド型、図７はネックバンド型、図８はクリップ型にそれぞれ適用した場合の斜視図である。
【００５２】
図４に示しように、イヤホン５０は樹脂製の２つのハウジング５１、５２が嵌め合わされて形成されている。そして、スイッチ３１は耳に挿入される側のハウジング５２に突設されている。なお、スイッチ３１の位置は、イヤホン５０が耳に装着された場合に耳などで押される位置であれば特に限定はない。
【００５３】
図５に示しように、カナル型のヘッドホン６０は、樹脂製又は金属製のハウジング６１と、耳の形に添って変形するシリコンなどの樹脂製のハウジング６２が嵌め合わされて形成されている。そして、スイッチ３１は耳に挿入される側のハウジング６２に突設されている。なお、スイッチ３１の位置は、カナル型のヘッドホン６０が耳に装着された場合に耳などで押される位置であれば特に限定はない。また、スイッチ３１はハウジング６２の下に設けてもよい。この場合、耳に装着された際、ハウジングの弾性を利用してスイッチ３１が押される。
【００５４】
図６に示しように、ヘッドバンド型のヘッドホン７０は、ハウジング７１と、ドーナツ状のゴムやスポンジなどからなるパッド７２が嵌め合わされて形成されている。パッド７２は耳を覆い側頭部に密着する大きさである。そして、スイッチ３１はパッド７２の耳に当たる部分に突設されている。なお、スイッチ３１の位置は、ヘッドバンド型のヘッドホン７０が耳に装着された場合に耳などで押される位置であれば特に限定はない。また、スイッチ３１はパッド７２の下に設けてもよい。この場合、耳に装着された際、パッド７２の弾性を利用してスイッチ３１が押される。また、スイッチ３１をハウジング７１に設け、スイッチ３１上のパッド７２部分に貫通孔を設け、この貫通孔からスイッチ３１が突出するようにしてもよい。
【００５５】
図７に示したように、ネックバンド型のヘッドホン８０は、ハウジング８１と、円盤状のスポンジなどからなるパッド８２が嵌め合わされて形成されている。パッド８２は耳の大部分に密着する大きさである。そして、スイッチ３１はパッド８２の耳に当たる部分に突設されている。なお、スイッチ３１の位置は、ネックバンド型のヘッドホン８０が耳に装着された場合に耳などで押される位置であれば特に限定はない。また、スイッチ３１はパッド８２の下に設けてもよい。この場合、耳に装着された際、パッド８２を介してスイッチ３１が押される。また、スイッチ３１をハウジング８１に設け、スイッチ３１上のパッド８２部分に貫通孔を設け、この貫通孔からスイッチ３１が突出するようにしてもよい。
【００５６】
図８に示したように、クリップ型のヘッドホン９０は、ハウジング９１と、円盤状のスポンジなどからなるパッド９２が嵌め合わされて形成されている。パッド９２は耳の大部分に密着する大きさである。また、ハウジング９１には耳に引っ掛けるための樹脂製のクリップ９３が設けられている。そして、スイッチ３１はパッド８２の耳に当たる部分に突設されている。なお、スイッチ３１の位置は、クリップ型のヘッドホン９０が耳に装着された場合に耳などで押される位置であれば特に限定はなく、例えば、クリップ９３上に設けてもよい。また、スイッチ３１はパッド９２の下に設けてもよい。この場合、耳に装着された際、パッド９２を介してスイッチ３１が押される。また、スイッチ３１をハウジング９１に設け、スイッチ３１上のパッド９２部分に貫通孔を設け、この貫通孔からスイッチ３１が突出するようにしてもよい。
【００５７】
（第２の実施形態）
第２の実施形態は、第１の実施形態で用いたスイッチ３１の代わりに温度センサを用いるものである。以下では第１の実施形態と異なる点についてのみ説明し、同様の構成については同符号を付してその詳細な説明を省略する。
【００５８】
図９は、第２の実施形態のヘッドホンシステムの構成を示すブロック図である。ヘッドホンシステム１００は、携帯型音楽再生装置であるオーディオ機器２００と、オーディオ機器２００に電気的に接続されるヘッドホン３００とから構成されている。オーディオ機器２００とヘッドホン３００との接続は、配線コードを用いてもよいし、無線接続としてもよい。無線接続する場合は、オーディオ機器２００及びヘッドホン３００にそれぞれ送受信機が必要であり、ヘッドホン３００には電源供給のための電池が必要となる。
【００５９】
オーディオ機器２００は、音楽などを記憶しておくハードディスクドライブ（ＨＤＤ）２１と、ヘッドホン３００が耳に装着されたか耳から離脱されたかを判断する着脱判断部２２０と、着脱判断部２２０が離脱と判断したことに基づいてオーディオ機器２００の再生を自動停止させる停止制御部２３０と、ＨＤＤ２１の音楽を再生してヘッドホン３００へ出力したり、停止制御部２３０からの指示によって再生を停止させたりする制御部２４０とを備えている。
【００６０】
なお、着脱判断部２２０と停止制御部２３０とは操作部を有するリモコンの筐体内に設けてもよい。通常リモコンは、オーディオ機器２００と接続する配線コード上に設けられるが、無線で操作するものであってもよい。また、着脱判断部２２０と停止制御部２３０とはヘッドホン３００に内蔵してもよい。
【００６１】
ヘッドホン３００としては、イヤホン、インナーイヤー型、カナル型、ヘッドバンド型（オーバーヘッド型）、ネックバンド型、クリップ型（耳掛け型）など様々なタイプを使用することができる。そして、ヘッドホン３００には温度センサ３１０が設けられている。温度センサ３１０は着脱判断部２２０と電気的に接続されており、温度センサ３１０から着脱判断部２２０へ検出温度が送信される。この検出温度はヘッドホン３００が耳に装着されたか耳から離脱されたかの判断に利用される。
【００６２】
図１０は、ヘッドホン３００の構成を示す分解斜視図である。ここではインナーイヤー型を例に説明する。イヤホンヘッド３００は、温度センサ３１０、耳に装着しやすくするバンド４１０などから構成される。
【００６３】
配線４３は、信号線、接地線、検知線の３本の線からなる。検知線は温度センサ３１０と着脱判断部２２とを接続する線であり、温度センサ３１０が検出した温度を着脱判断部２２０へ送る。
【００６４】
バンド４１０は、熱伝導率の高い金属製であり、ハウジング３２の耳に当たる外周部分を覆うようなリング形状となっている。
【００６５】
温度センサ３１０は、バンド４１０の下であってバンド４１０に接するように、ハウジング３２の外周部分に設けられている。これにより、通常温度センサ３１０はユーザに見えないので、ユーザは温度センサ３１０を気にすることなく使用でき、外観の美観もよい。バンド４１０をハウジング３２に嵌めただけの状態、つまり耳に装着されていない状態では、温度センサ３１０はバンド４１０を介して外界の温度を検出する。一方、ヘッドホン３００が耳に装着された状態では、バンド４１０の外周部分が耳に押し当てられるので、温度センサ３１０はバンド４１０を介して耳の温度を検出する。
【００６６】
着脱判断部２２０は温度センサ３１０で検出された温度からヘッドホン３１０が耳に装着されたか耳から離脱されたかを判断するが、その際、所定の閾値（例えば３０℃）以上であれば装着状態であると判断し、該所定の閾値未満であれば離脱状態であると判断すればよい。
【００６７】
このように、ヘッドホン３００の着脱が温度センサ３１０の検出温度によって判断される。なお、温度センサ３１０は必ずしもバンド４１０の下に設ける必要はなく、温度センサ３１０上のバンド４１０部分に貫通孔を設け、この貫通孔と温度センサ３１０が面一になるようにしてもよい。こうすれば直接的に耳の温度を検出できるので、精度が上がる。また、温度センサ３１０は、ヘッドホン３０が耳に装着された場合に耳の温度を直接又は間接的に検出できる位置であればその位置に特に限定はなく、例えば、保護グリル４０の前面の耳に当接する位置に設けてもよい。また、温度センサ３１０の形状には特に限定はない。
【００６８】
次に、ヘッドホンシステム１００の自動停止機能について説明する。図１１は、自動停止機能に関するヘッドホンシステム１００の動作を示すフローチャートである。まず、オーディオ機器２００の電源がオンになると、ステップＳ１００において着脱判断部２２０は温度センサ３１０からの検出温度が所定の閾値以上か否かを判別する。
【００６９】
ステップＳ１００において検出温度が所定の閾値以上であれば、ステップＳ１１０へ進んで着脱判断部２２は、ヘッドホン３００が耳に装着されたと判断する。その後、着脱判断部２２０は所定の閾値以上の温度を検出し続ける限りヘッドホン３００が装着状態であると判断する。この状態の場合は着脱判断部２２０は停止制御部２３０へ何も指示する必要はないが、装着状態である旨を停止制御部２３０を介して制御部２４０へ送信してもよい。そうすれば、制御部２４０はヘッドホン３００が装着状態であることを把握できるので、他の制御に役立てることもできる。
【００７０】
次に、ステップＳ１２０へ進んで制御部２４０は再生指示があったか否かを判別する。ユーザによって操作部が操作され再生が指示された場合は、ステップＳ１３０へ進んでＨＤＤ２１の音楽を再生し、ヘッドホン３００へ出力する。
【００７１】
再生中にステップＳ１４０へ進んで着脱判断部２２０は温度センサ３１０からの検出温度が所定の閾値未満か否かを判別する。ステップＳ１４０において検出温度が所定の閾値以上であれば、着脱判断部２２０はヘッドホン３００が耳に装着されたままであると判断し、制御部２４は再生を続ける。
【００７２】
一方、ステップＳ１４０において検出温度が所定の閾値未満であれば、着脱判断部２２０はヘッドホン３００が耳から離脱されたと判断し、その旨を停止制御部２３０へ送信し、ステップＳ１５０へ進む。ステップＳ１５０では停止制御部２３０が検出温度が所定の閾値未満になってから所定時間経過したか否かを判別する。これは時計などの計時手段を利用すればよい。所定時間はユーザが操作部を操作することよって任意に設定でき、例えば５分から６０分の間で設定できるものとする。
【００７３】
ステップＳ１５０において所定時間経過している場合、つまり着脱判断部２２０が所定時間以上持続して離脱と判断した場合は、停止制御部２３０はヘッドホン３００が耳から離脱されたままであると判断し、ステップＳ１６０へ進む。ステップＳ１６０では、停止制御部２３０から制御部２４０へ停止指示が送信され、制御部２４０はＨＤＤ２１の再生を自動停止させる。
【００７４】
一方、ステップＳ１５０で所定時間経過していない場合はステップＳ１４０に戻り検出温度を判別し、このとき検出温度が所定の閾値以上であれば再びヘッドホン３００が装着されたと判断して再生を続ける。
【００７５】
このように、再生したままヘッドホン３００が耳から離脱されて所定時間が経過すると自動的に再生が停止されるので、ヘッドホン３００を外した後、停止操作を忘れた場合に再生され続けて電池がなくなることを防止できる。
【００７６】
なお、ステップＳ１５０はなくても本発明は成立する。その場合、ステップＳ１４０から直接ステップＳ１６０へ進むことになるので、ヘッドホン３００が耳から離脱されるとまもなく再生が自動停止される。
【００７７】
次に、本実施形態を他のタイプのヘッドホンに適用した場合は、図４から図８のスイッチ３１を温度センサ３１０に代えるだけであるので、図示とその説明を省略する。
【００７８】
なお、本発明において、スイッチ３１や温度センサ３１０は左右のヘッドホンの両方に設けてもよい。その場合、着脱判断部２２、２２０が、両方のスイッチ３１又は両方の温度センサ３１０の検出結果から共に離脱状態であると判断した場合にのみ、再生を自動停止させるようにすればよい。そうすれば、片方のヘッドホンが離脱状態でもう片方のヘッドホンが装着された状態のときに自動停止してしまうことを防止できる。
【００７９】
また本発明において、ヘッドホンがオーディオ機器に接続されている場合であって、且つヘッドホンが装着されていない場合は、再生の操作があっても再生しないようにしてもよい。また、再生するようにした場合でも、その後所定時間経ってもヘッドホンが装着されていなければその時点で自動停止するようにすればよい。そうすれば、鞄の中などで間違って再生ボタンが押されたときに無駄に電池を消費することがない。
【産業上の利用可能性】
【００８０】
本発明のオーディオ機器としては、携帯型音楽再生装置、携帯型ラジオ受信機、携帯型テレビ受信機、携帯型ゲーム機、音楽再生機能付き携帯電話機など、携帯型の機器に特に有効に利用できるが、据え置き型の機器にも利用することができる。また本発明のヘッドホンとしては、イヤホン、インナーイヤー型、カナル型、ヘッドバンド型（オーバーヘッド型）、ネックバンド型、クリップ型（耳掛け型）など様々なタイプに利用することができる。
【図面の簡単な説明】
【００８１】
【図１】第１の実施形態のヘッドホンシステムの構成を示すブロック図である。
【図２】第１の実施形態のヘッドホンの構成を示す分解斜視図である。
【図３】第１の実施形態の自動停止機能に関するヘッドホンシステムの動作を示すフローチャートである。
【図４】第１の実施形態のイヤホンの外観斜視図である。
【図５】第１の実施形態のカナル型のヘッドホンの外観斜視図である。
【図６】第１の実施形態のヘッドバンド型のヘッドホンの外観斜視図である。
【図７】第１の実施形態のネックバンド型のヘッドホンの外観斜視図である。
【図８】第１の実施形態のクリップ型のヘッドホンの外観斜視図である。
【図９】第２の実施形態のヘッドホンシステムの構成を示すブロック図である。
【図１０】第２の実施形態のヘッドホンの構成を示す分解斜視図である。
【図１１】第２の実施形態の自動停止機能に関するヘッドホンシステムの動作を示すフローチャートである。
【符号の説明】
【００８２】
１０、１００    ヘッドホンシステム
２０、２００    オーディオ機器
３０、５０、６０、７０、８０、９０、３００    ヘッドホン
３１    スイッチ
２２、２２０    着脱判断部
２３、２３０    停止制御部
３２、    ハウジング
４１、４１０    バンド
【図１】
0004905280.tif 000002
【図２】
0004905280.tif 000003
【図３】
0004905280.tif 000004
【図４】
0004905280.tif 000005
【図５】
0004905280.tif 000006
【図６】
0004905280.tif 000007
【図７】
0004905280.tif 000008
【図８】
0004905280.tif 000009
【図９】
0004905280.tif 000010
【図１０】
0004905280.tif 000011
【図１１】
0004905280.tif 000012